(57)【要約】【課題】扱いが容易で安全かつ、使用中に開閉の恐れのない開閉式ペンダントの提供。【解決手段】内部に物品収容部３１を有するペンダントヘッド１１の本体部２０と、該本体部２０の前記物品収容部３１の開口部を開閉自在な蓋体２１とを有し、該ペンダントヘッド１１の本体部２０と蓋体２１には、それぞれの上端に首掛け用紐状材１２を挿通する係合リング３２と圧接リング４２とをそれぞれ一体に備え、係合リング３２と圧接リング４２は、蓋体２１が本体部２０に対して閉蓋状態にあるとき、両リングが互いに中心軸方向に整合され、該整合状態の両リングに前記首掛け用紐状材１２を通す。【選択図】図２
2010124910.tif 000002
【特許請求の範囲】
【請求項１】
内部に物品収容部を有するペンダントヘッド本体部と、該本体部の前記物品収容部の開口部を開閉自在な蓋体とを有する開閉式ペンダントにおいて、
該ペンダントヘッド本体部と蓋体には、それぞれの上端に首掛け用紐状材を挿通する別々の紐通し孔部を一体に備え、
該両紐通し孔部は、蓋体がペンダントヘッド本体部に対して閉蓋状態にあるとき、両孔部が互いに中心軸方向に整合され、該整合状態の両孔部に前記首掛け用紐状材を通したことを特徴としてなる開閉式ペンダント。
【請求項２】
前記両紐通し孔部は、ペンダントヘッド本体部の上端及び蓋体の上端に固定したリング状材をもって構成し、蓋体がペンダントヘッド本体部に対して閉蓋状態にあるときに両リング状材の端面が互いに弾性的に接触することによって蓋体開閉時の節度感が得られるようにしてなる請求項１に記載の開閉式ペンダント。
【発明の詳細な説明】
【技術分野】
【０００１】
本発明は、主として首に掛けたネックレス等の首掛けよう紐状材に吊り持ちさせて使用し、内部に香水容器等の物体を収容できるように開閉式ペンダントに関する。
【背景技術】
【０００２】
従来、香水容器等の物体をペンダントヘッド１に収容したペンダント２は、図５に示すようなものがある（例えば特許文献１）。
【０００３】
このペンダント２は、背面に開口部３を有し内部に香水容器等の香り発生部材４を収容したペンダントヘッド１と、首掛け用のチェーン５と、チェーン５にペンダントヘッド１を吊持ちさせる吊り具６を備えている。
【０００４】
ペンダントヘッド背面の開口部３には、香水が蒸散させる為の内外に連通した透孔７を有し、回動して開閉する開閉蓋８を備え、開閉蓋８を開くことにより香水や芳香剤等の香り発生部材４の補充、交換を自在に行うことができるようになっている。
【特許文献１】特開平７−４７００４号公報
【発明の開示】
【発明が解決しようとする課題】
【０００５】
しかし、上述の如き香り発散アクセサリーにおいて、開閉蓋８が自在に開閉可能であることにより、香水容器等の香り発生部材４が補充、交換が容易である半面、ペンダント２使用中に開閉蓋８が開いてしまい内容物が飛び出してしまう可能性が高いという問題があった。
【０００６】
また、身体に当たる背面に開閉機構があることにより、開いた蓋によって肌や衣服を傷つけてしまう危険性もあった。
【０００７】
本発明は、上述の如き従来技術の問題を鑑み、扱いが容易で安全かつ、使用中に開閉の恐れのない開閉式ペンダントを提供することを目的とする。
【課題を解決するための手段】
【０００８】
上述の如き従来の問題を解決し、所期の目的を達成するための請求項１に記載の発明は、内部に物品収容部を有するペンダントヘッド本体部と、該本体部の前記物品収容部の開口部を開閉自在な蓋体とを有する開閉式ペンダントにおいて、該ペンダントヘッド本体部と蓋体には、それぞれの上端に首掛け用紐状材を挿通する別々の紐通し孔部を一体に備え、該両紐通し孔部は、蓋体がペンダントヘッド本体部に対して閉蓋状態にあるとき、両孔部が互いに中心軸方向に整合され、該整合状態の両孔部に前記首掛け用紐状材を通した開閉式ペンダントであることを特徴とする。
【０００９】
請求項２に記載の発明は、請求項１の構成に加え、前記両紐通し孔部は、ペンダントヘッド本体部の上端及び蓋体の上端に固定したリング状材をもって構成し、蓋体がペンダントヘッド本体部に対して閉蓋状態にあるときに両リング状材の端面が互いに弾性的に接触することによって蓋体開閉時の節度感が得られるようにしたことを特徴とする。
【発明の効果】
【００１０】
本発明に係る開閉式ペンダントは、ペンダントヘッド本体部と蓋体には、それぞれの上端に首掛け用紐状材を挿通する別々の紐通し孔部を一体に備え、該両紐通し孔部は、蓋体がペンダントヘッド本体部に対して閉蓋状態にあるとき、両孔部が互いに中心軸方向に整合され、該整合状態の両孔部に前記首掛け用紐状材を通したことによって、ペンダント使用時には首掛け紐状材が弛むことない為に、両紐通し孔部が整合状態となる方向の外力が常に作用していることなって閉蓋状態が保たれる。
【００１１】
また逆に、ペンダント不使用時には首掛け紐状材の弛みが自在であることから、蓋体の開閉が容易となる。
【００１２】
前記両紐通し孔部は、ペンダントヘッド本体部の上端及び蓋体の上端に固定したリング状材をもって構成し、蓋体がペンダントヘッド本体部に対して閉蓋状態にあるときに両リング状材の端面が互いに弾性的に接触することによって蓋体開閉時の節度感が得られるようにしたことにより、首掛け紐状材が緩んだ拍子に蓋体が開く心配がなく、蓋体開閉時には容易に扱うことができる。
【００１３】
また、蓋体開閉時の節度感が得られることにより閉蓋状態の確認がしやすい。
【発明を実施するための最良の形態】
【００１４】
次に、本発明に係る香水入りペンダントの実施の態様を、図１〜図４に示す実施例について説明する。
【００１５】
図中符号１０は香水入りペンダントである。この香水入りペンダント１０は、開閉式ペンダント１０は、ペンダントヘッド１１と、チェーンや革紐等の首掛け用紐状材１２とから構成されている。ペンダントヘッド１１の上部には首掛け紐状材１２を通すための吊り具１３が一体に備えられている。ペンダントヘッド１１内には香水容器Ａ等を内部に収容するための収容部が備えられている。
【００１６】
ペンダントヘッド１１は、本体部２０と、蓋体２１とで構成され、本体部２０底部から張り出した蝶番片２２と、蓋体２１底部の切欠２３とがかみ合い、蝶番片２２を貫通する枢軸穴に切欠２３間に固定された枢軸が挿通されることで底部が蝶番として回動可能に連結され、本体部２０に対して蓋体２１が開閉できる構造となっている。
【００１７】
本体部２０は、香水が蒸散する為内外に連通開口した通気孔２５が設けられた正面部２６と、正面部２６から立ち上げられた上辺部２７と底辺部２８、左右の側辺部２９、３０とで囲まれた香水容器Ａの収容部３１を有し、上辺部２７外側には吊り具１３の一部である係合リング３２が固定されている。
【００１８】
蓋体２１は、本体部２０同様に通気孔２５が設けられた背面部３６と、背面部３６から立ち上げられた上辺部３７と底辺部３８、左右の側辺部３９，４０とで囲まれた香水容器Ａの保持部４１を有し、上辺部３７外側には吊り具１３のもう一方であり、係合リング３２に係止される圧接リング４２が固定されている。
【００１９】
なお、図中符号４３は香水容器Ａの固定片であり、閉蓋状態になったときに動かないよう香水容器Ａを保持するものである。
【００２０】
吊り具１３は、係合リング３２と圧接リング４２とで構成され、ペンダントヘッド１１の開閉金具の役目を兼ねている。閉蓋時は係合リング３２と圧接リング４２の穴が整合状態で連通し一体となり、開蓋状態ではそれぞれに分離する。
【００２１】
係合リング３２は、断面が円形の線状材をもって形成された円形のリング５０ａと、該リングの内径の本体部正面側となる半周部分に沿わせて縁部を固着した半円筒状の係止片５０ｂとからなり、該係止片５０ｂ及び前記リング５０ａの底部が本体部２０の上辺部２７に固着されている。
【００２２】
圧接リング４２は、断面が円形の線状材をもって形成された円形のリングからなっており、閉蓋状態のとき係合リング３２の係止片５０ｂ縁部に圧接されるようになっている。この圧接状態は、図３に示すように係止片５０ｂの縁部の上下方向の角度θより、圧接リング４２の取り付け角度αが、やや垂直に近い角度とすることにより得られるようになっている。
【００２３】
次に本発明に係る開閉式ペンダント１０の使用方法及び、開閉方法について説明する。
【００２４】
開閉式ペンダント１０の使用時は、ペンダントヘッド１１上部に固定された吊り具１３に首掛け紐状材１２が通り、ペンダントヘッド１１は吊持ちされている。吊持ちされることで紐状材１２が張った状態となり、吊り具１３が係合リング３２と圧接リング４２とに分離することはない為、整合状態が保たれペンダントヘッド１１は閉蓋している。
【００２５】
香水容器Ａの補充、交換する場合は、開閉式ペンダント１０を首から外し、紐状材１２を弛ませ圧接リング３２をペンダント背面側に押すことで整合状態が解除され、係合リング３２と圧接リング４２とをそれぞれに分離しペンダントヘッド１１が開く。
【００２６】
ペンダントヘッド１１を閉じる場合は紐状材１２の弛みをなくし、係合リング３２の係止片５０を圧接リング４２の内径に滑り込ませるように圧接リング４２を押すと、当接する係止片５０ｂの縁部より圧接リング４２に角度がないことにより弾性的に係合し節度感が得られる。また、係止片５０ｂが圧接リング４２の内径に嵌りこむことにより、閉まったことが確認しやすくなる。
【００２７】
尚、本体部２０と蓋体２１は逆であっても良い。
【００２８】
また、ペンダントヘッド１１の中に収容されるものは、宝飾品や写真（ロケットペンダントとして使用）などであってもよく、香水容器の限りではない。
【図面の簡単な説明】
【００２９】
【図１】本発明に係る開閉式ペンダントの一例を示す概要図である。
【図２】同上のペンダントヘッドの（ａ）閉蓋状態を示す斜視図、（ｂ）開蓋状態を示す斜視図である。
【図３】同上の吊り具の拡大正面図である。
【図４】同上の吊り具の拡大側面図である。
【図５】従来の開閉式ペンダントの一例を示す側面図である。
【符号の説明】
【００３０】
Ａ  香水容器
１０  開閉式ペンダント
１１  ペンダントヘッド
１２  紐状材
１３  吊り具
２０  本体部
２１  蓋体
２２  蝶番片
２３  切欠
２５  通気孔
２６  正面部
２７  上辺部
２８  底辺部
２９  側辺部
３０  側辺部
３１  収容部
３２  係合リング
３６  背面部
３７  上辺部
３８  底辺部
３９  側辺部
４０  側辺部
４１  保持部
４２  圧接リング
４３  固定片
５０ａ  リング
５０ｂ  係止片
【図１】
2010124910.tif 000003
【図２】
2010124910.tif 000004
【図３】
2010124910.tif 000005
【図４】
2010124910.tif 000006
【図５】
2010124910.tif 000007